(57)【特許請求の範囲】
【請求項１】
風呂用椅子（１）に風呂用マット（７）を立てかけるための溝（２）を設け、溝底面（５）の両外端に一つずつの突起（６）を設け、前記溝の両側面（４）の上縁部に、前記溝の長手方向に沿って延びる突起（６）を左右二ヵ所に設けたことを特徴とする風呂用マット立て椅子。
【請求項２】
溝（２）に水が貯まらないように溝底面（５）に排水穴（３）を設け、溝底面（５）は排水穴（３）に向かって下りに傾斜させたことを特徴とする請求項１記載の風呂用マット立て椅子。
【請求項３】
溝（２）に水が貯まらないように、溝底面（５）全体に複数の排水穴（３）を隣接して並べて設けたことを特徴とする請求項１あるいは請求項２記載の風呂用マット立て椅子。
【発明の詳細な説明】
【技術分野】
【０００１】
この発明は、風呂用椅子を利用した風呂用マット水切り装置に関するものである。
【背景技術】
【０００２】
従来の風呂用マット水切り装置は、床に置いて風呂用マット７を立てかけるタイプのものはなかったため、風呂用マットは水切りのため浴槽または壁等に立てかけていた。また、他の形態の風呂用マット水切り装置として出願されているものとしては、図６に示すように、風呂用マット７を挟み吊り下げ水切りするためのクリップ８が吸着盤９の前方に取り付けられ、吸着盤９を壁面１０に吸着し、壁面１０からクリップ８に挟んだ風呂用マット７を吊り下げるタイプのものである。
【特許文献１】登録実用新案第３０４９８９９号公報
【特許文献２】特開２００２−５１９２６号公報
【発明の開示】
【発明が解決しようとする課題】
【０００３】
しかしながら、以上の技術によれば下記のような問題を有していた。
１．使用するスペ−スが壁に限られているが、風呂用マットのサイズは大型であり浴室のスペ−スは狭いため、壁面に設置場所を確保することが困難であり、浴室の狭いスペースをさらに使いにくくした。特に最近普及しているユニットバスの場合、シャワ−、収納、タオル掛け、鏡など多くのものが壁面に取り付けられており、壁面に風呂用マットを吊るすほどのスペ−スを確保することが難しい。
【０００４】
２．設置する位置が高い場所にしか確保できない場合、子供および背の低い人が風呂用マットを脱着することが困難であった。
３．壁から突き出て設置されるため、邪魔になったり，体を洗う時などに手や体をぶつけて傷つける危険があり安全性の面で不安があった。
【０００５】
４．風呂用マットを床に置いて浴槽または壁等に立てかける場合、滑って倒れたり、床との接触面に水が貯まりやすかった。
そこで、本発明は、これらの欠点を解決できるものを提供することを課題とするものである。
【課題を解決するための手段】
【０００６】  以上の課題を解決するために、第一発明は、風呂用椅子１に風呂用マット７を立てかけるための溝２を設け、溝側面４および溝底面５に風呂用マット７が接する部分を少なくし効果的に水切りをすために、溝底面５の両外端に一つずつの突起６を設け、前記溝の両側面４の上縁部に、前記溝の長手方向に沿って延びる突起６を左右二ヵ所に設けたことを特徴とする風呂用マット立て椅子である。
また、第二発明として、溝２に水が貯まらないように溝底面５に排水穴３を設け、溝底面５は排水穴３に向かって下りに傾斜させたことを特徴とする風呂用マット立て椅子である。
また、第三発明として、溝２に水が貯まらないように溝底面５全体に複数の排水穴３を隣接して並べて設けたことを特徴とする風呂用マット立て椅子である。
【発明の効果】
【０００７】  第一発明によれば、本発明の風呂用マット立て椅子は、風呂用椅子との兼用なので、設置場所を新たに設ける必要はなく、使用場所を容易に確保でき、浴室の狭いスペースを有効利用でき、邪魔になることなく、仮に邪魔な場合でも容易に移動できる。
また、壁から突き出た器具を新たに設置する必要がないので、安全である。
また、風呂用マット立て椅子は主に床に置いて使用するため、使用場所を容易に確保でき、背の低い人および子供でも容易に扱える。
また、風呂用マットは風呂用マット立て椅子に設けられた溝に挟んで立てかけるため、風呂用マットが滑って倒れることはない。
また、本発明の風呂用マット立て椅子は、溝底面の両外端に一つずつの突起を設け、前記溝の両側面の上縁部に、前記溝の長手方向に沿って延びる突起を左右二ヵ所に設けられているので、風呂用マットを溝に立てかけることができ、風呂用マットを溝側面に対しても溝底面に対しても最善の仕方でバランスを保ちつつ立てかけられると同時に、溝に接する部分がマットの底面においても側面においても最小限になるため、効果的に水が下に落ち、通気がよくなり、効果的に風呂用マットの水切り乾燥を行える。【０００８】  第二発明によれば、本発明の風呂用マット立て椅子は、溝底面に排水穴が設けられ、溝底面は排水穴に向かって下りに傾斜させたので、風呂用マットから溝底面に落ちた水は溝底面の傾斜を伝って流れ落ち排水穴から排出されるため、水が溝に貯まらず効果的に水を切ることができる。そのため、衛生的である。【０００９】  第三発明によれば、本発明の風呂用マット立て椅子は、溝底面全体に複数の排水穴が隣接して並べて設けられているので、風呂用マットから溝に落ちた水は溝底面全体に隣接して並べて設けられた複数の排水穴を通して直接床に排出され、水が溝に貯まらず効果的に水を切ることができる。また、溝底面全体に複数個の排水穴が隣接して設けられているため、風通しが良くなり乾燥が早まる。そのため、衛生的である。
【発明を実施するための最良の形態】
【００１１】
この発明の一実施形態を、図１に示す。
図１は、ステンレス、アルミ、スチ−ル、樹脂、木材などを素材として構成された本案の風呂用マット立て椅子であり、風呂用椅子１の中央部分に風呂用椅子の一側面から対面に通じるように溝２を設け、溝底面５の中央部に排水穴３を設け、溝底面５を排水穴３に向かって下りに傾斜させ、溝底面５の両外端に山型の突起６を一つずつ設け、両溝側面４の上部左右二ヵ所に山型の突起６を設けた。
【００１２】
本発明は以上の構造でこれを使用するときは、風呂用椅子１の溝２に風呂用マット７を立てかけて水を切る。なお、風呂用マット７は突起６の働きにより溝２と接する面が少なくなるため効果的に水が下に落ち，溝底面５に落ちた水は傾斜を伝って流れ落ち排水穴３から排出されるため、効果的に水切りができる。
【００１３】
「実施形態の効果」
この実施形態によれば、次に記載する効果を有する。
使用場所を容易に確保できる。
風呂場の狭いスペ−スを有効利用できる。
安全である。
移動が容易である。
どこでも使用できる。
背が低い人や子供でも扱いが容易である。
効果的に水が切れるので、不快感はなく衛生的である。
風呂用マットを立てかけた時、滑って倒れることはない。
溝をおしりの割れ目に沿って座れるので，座った時に違和感はない。
【００１４】
「他の実施形態」
図１の斜視図では、突起６は山型だったが、他の実施形態では、突起６の形状としては半円球状や円錐型など、その他風呂用マット７と溝側面４および溝底面５が接する面が小さくなる形状であれば特に制限されない。
また、図３の平面図では、溝底面５の中央に四角い排水穴３が設けられていたが、他の実施形態では、排水穴３の大きさおよび形状および位置および数は水切りを有効に行えるものであれば特に制限されない。
【図面の簡単な説明】
【００１５】
【図１】この発明を示す斜視図である。
【図２】この発明の一実施形態を示す側面図である。
【図３】この発明を上から見た平面図である。
【図４】この発明の図３におけるA−A線断面図である。
【図５】この発明の請求項４を示す上から見た平面図である。
【図６】従来の技術を示す側面図である。
【符号の説明】
【００１６】
１    風呂用椅子
２    溝
３    排水穴
４    溝側面
５    溝底面
６    突起
７    風呂用マット
８    クリップ
９    吸着盤
１０  壁面
【図１】
0004669013.tif 000002
【図２】
0004669013.tif 000003
【図３】
0004669013.tif 000004
【図４】
0004669013.tif 000005
【図５】
0004669013.tif 000006
【図６】
0004669013.tif 000007